(57)【特許請求の範囲】
【請求項１】
多数の偏平チューブ１をその偏平な外面が対向するように並列し且つ、夫々の偏平チューブ１の両端部が互いに離間した一対のヘッダー２に連通すると共に、夫々の偏平チューブ１の外面にフィン３が固定され、前記偏平チューブ１内に気液２相状態の冷媒が流通する空調用熱交換器において、
前記偏平チューブ１は、その横断面の長軸方向に互いに離間して多数の仕切り部が、その横断面の短軸方向に位置した多穴管からなり、
その多穴のうち前記横断面の長軸方向の先端に位置する穴１ａが閉塞するように、夫々の偏平チューブ１の両端が前記一対のヘッダー２に連通され、
その閉塞された穴１ａが送風の風上側に位置される空調用熱交換器。
【請求項２】
請求項１において、前記偏平チューブ１の前記閉塞される穴１ａの長手方向両端部が欠切されて、その偏平チューブ１の両端が段付にされた段付部５を構成し、
夫々の前記ヘッダー２のチューブ挿通孔４が前記閉塞される穴１ａの分だけ小さく形成され、前記段付部５の端面が前記チューブ挿通孔４の孔縁部に接触するように接合された空調用熱交換器。
【発明の詳細な説明】
【０００１】
【発明の属する技術分野】
本発明は、一対のヘッダー間に多数の偏平チューブを連通すると共に、各偏平チューブ間にフィンを固定した冷暖兼用の空調用熱交換器に係り、特に室外機として最適なものに関する。
【０００２】
【従来の技術】
ヒートポンプ型の冷暖兼用の空調用熱交換器は、その暖房時において、室外機に着霜が起こる。冷媒の流通路として偏平チューブを用いる場合、この着霜は偏平チューブの先端縁すなわち、送風による空気流の流通方向上流側の先端部から起こり、次第にそれが成長し、ついには空気の流通路を閉塞することになる。そこで、室外機は適宜この着霜を溶融させる必要がある。
【０００３】
【発明が解決しようとする課題】
冷媒流通用の偏平チューブに着霜が生じると、その分だけ空気の流通が阻害されるとともに熱交換が阻害されるので、着霜が次第に大きくなると、それを溶融する必要があった。その間、室内側の暖房は中止せざるを得ないこととなる。したがって、室外機の着霜は全体として空調用熱交換器の暖房能力を低下させることになる。
そこで、本発明は着霜を可能な限り遅くし、暖房効果を向上させる空調用熱交換器を提供することを課題とする。
【０００４】
【課題を解決するための手段】
本発明の空調用熱交換器は、多数の偏平チューブ１をその偏平な外面が対向するように並列し且つ、夫々の偏平チューブ１の両端部が互いに離間した一対のヘッダー２に連通すると共に、夫々の偏平チューブ１の外面にフィン３が固定され、前記偏平チューブ１内に気液２相状態の冷媒が流通する空調用熱交換器において、  前記偏平チューブ１は、その横断面の長軸方向に互いに離間して多数の仕切り部が、その横断面の短軸方向に位置した多穴管からなり、
その多穴のうち前記横断面の長軸方向の先端に位置する穴１ａが閉塞するように、夫々の偏平チューブ１の両端が前記一対のヘッダー２に連通され、
その閉塞された穴１ａが送風の風上側に位置されるものである。
また本発明の好ましい実施の形態は、前記偏平チューブ１の前記閉塞される穴１ａの長手方向両端部が欠切されて、その偏平チューブ１の両端が段付にされた段付部５を構成し、
夫々の前記ヘッダー２のチューブ挿通孔４が前記閉塞される穴１ａの分だけ小さく形成され、前記段付部５の端面が前記チューブ挿通孔４の孔縁部に接触するように接合されたものである。
【０００５】
【発明の実施の形態】
次に、図面に基づいて本発明の空調用熱交換器の実施の形態につき説明する。図１は本発明の空調用熱交換器の要部斜視図であり、図２はその縦断面略図、図３は同要部正面図、図４は同熱交換器の全体的正面略図である。
この空調用熱交換器は、冷暖兼用の室外機として用いられ、上下一対のヘッダー２に多数の偏平チューブ１の両端部が連通し、それらが等間隔に並列される。そして、夫々の偏平チューブ１間にはコルゲート型のフィン３が配設される。
偏平チューブ１は、アルミニュームの押出管からなり、いわゆる多穴管といわれ、幅方向に多数の仕切り部が一体的に形成されたものである。そして、偏平チューブ１の長手方向両端の隅部は、切削により段付部５が形成される。
【０００６】
この段付部５は、多穴管のうちの横断面の長軸方向の先端に位置する穴１ａの形成管部分のみがその仕切を境界として欠切されたものであり、その穴１ａの開口端面はヘッダー２の外周に整合するように形成される（図２）。そして、この穴１ａを除いた偏平チューブ１の端部外周に整合するようにヘッダー２に多数のチューブ挿通孔４が等間隔で穿設される。このチューブ挿通孔４には偏平チューブ１が貫通され、そのチューブ挿通孔４の長手方向の一端縁部が段付部５に図２の如く着座される。
なお、ヘッダー２はアルミニュームの押出管からなり、それを適宜長さに切断して用いられる。
そして、各偏平チューブ１間にコルゲート型のフィン３が挿入され、熱交換器コアを構成する。また、そのコアの幅方向両側には図示しないサイドメンバーが配置される。
【０００７】
このような各部品の接触部間にはろう材が被覆または載置され、それら全体が組み立てられた状態で高温の炉内に挿入される。そしてろう材を溶融し、次いでそれを固化することにより、各部品間を一体的にろう付け固定するものである。なお、上下一対のヘッダー２には夫々冷媒出入口用のパイプ６，６が連通される。夫々のパイプ６は、空調機の冷媒回路に接続される。そして、コアに対向して図示しないファンが配置され、送風に基づく空気流８が図２において偏平チューブ１の段付部５側からコア内に進入する。それと共に、偏平チューブ１内には気液２相状態の冷媒が流通し、偏平チューブ１およびフィン３を介し空気流８との間に熱交換が行われる。このとき、偏平チューブ１の先端における穴１ａ（図１）はヘッダー２により閉塞されるので、この穴１ａ内には冷媒が流通しない。それ故、偏平チューブ１の風上側端縁は着霜しにくくなり、全体として着霜が遅れることになる。それにより、熱交換器の着霜に基づく目詰まりを可及的に少なくすることができる。
【０００８】
【発明の作用・効果】
本発明の空調用熱交換器は、夫々多穴管よりなる偏平チューブ１の風上側先端に位置する穴１ａに冷媒が流通しないように、その穴１ａを閉塞したから、その偏平チューブ先端部から成長する着霜を遅くし、着霜に伴う熱交換性能の低下を防ぐことができる。
しかも、本熱交換器は多穴管の閉塞される穴１ａも利用し、それに接触するフィンの接触面も十分確保できるから、放熱面積を大きくして熱交換性能を向上し得る。
また、閉塞される穴１ａに段付部５を設け、ヘッダー２のチューブ挿通孔４がその穴１ａ分だけ小さく形成されたものにおいては、構造が簡単で組立易い熱交換器となる。
さらに、段付部５の端面がチューブ挿通孔４の孔縁部に接触するように構成したため、ヘッダー２と偏平チューブ１とのろう付け面積が大きくなると共に、段付部５にヘッダー２のチューブ挿通孔４の一端縁部を着座させることができるため、強度の大きな安定性の高い熱交換器を構成できる。
【図面の簡単な説明】
【図１】本発明の空調用熱交換器の要部斜視図。
【図２】同熱交換器の縦断面略図。
【図３】同熱交換器の要部正面図。
【図４】同熱交換器の全体的正面略図。
【符号の説明】
１  偏平チューブ
１ａ  穴
２  ヘッダー
３  フィン
４  チューブ挿通孔
５  段付部
６  パイプ
７  側蓋
８  空気流
【図１】
0003738404.tif 000002
【図２】
0003738404.tif 000003
【図３】
0003738404.tif 000004
【図４】
0003738404.tif 000005